(57)【要約】【課題】本発明は、狭小空間に設置することができ、また、優れた放熱性能を発揮できる冷却装置を提供することを目的とする。【解決手段】作動部と非作動部を有する平面型ヒートパイプと、該平面型ヒートパイプと熱的に接続された冷却部材と、該平面型ヒートパイプと該冷却部材との熱的接続部に設けられたグラファイトシートと、を備えた冷却装置。【選択図】図１
2019148373.tif 000002
【特許請求の範囲】
【請求項１】
作動部と非作動部を有する平面型ヒートパイプと、該平面型ヒートパイプと熱的に接続された冷却部材と、該平面型ヒートパイプと該冷却部材との熱的接続部に設けられたグラファイトシートと、を備えた冷却装置。
【請求項２】
前記冷却部材が、前記作動部に熱的に接続されている請求項１に記載の冷却装置。
【請求項３】
前記冷却部材が、前記非作動部に熱的に接続されている請求項１に記載の冷却装置。
【請求項４】
前記冷却部材が、アルミニウム製である請求項１乃至３のいずれか１項に記載の冷却装置。
【請求項５】
前記平面型ヒートパイプの作動部の幅に対する、該平面型ヒートパイプの作動部の幅方向に対して平行方向における該平面型ヒートパイプの作動部上の前記グラファイトシートの寸法割合が、０．２０以上１．０以下である請求項１乃至４のいずれか１項に記載の冷却装置。
【請求項６】
前記グラファイトシートが、前記平面型ヒートパイプの作動部の縁部から、該平面型ヒートパイプの中心部方向へ２０ｍｍ以上延出している請求項１乃至５のいずれか１項に記載の冷却装置。
【請求項７】
前記グラファイトシートが、前記平面型ヒートパイプの両主表面のうち、少なくとも一方の主表面全体に設けられている請求項１乃至６のいずれか１項に記載の冷却装置。
【請求項８】
前記グラファイトシートが、前記平面型ヒートパイプの両主表面全体に設けられている請求項１乃至７のいずれか１項に記載の冷却装置。
【請求項９】
前記平面型ヒートパイプと前記冷却部材と前記グラファイトシートとの厚さの合計が、０．６０ｍｍ以下である請求項１乃至８のいずれか１項に記載の冷却装置。
【請求項１０】
前記平面型ヒートパイプから外側方向へ延在している、前記平面型ヒートパイプと熱的に接続された熱伝導板をさらに備えた請求項１乃至９のいずれか１項に記載の冷却装置。
【請求項１１】
前記熱伝導板が、グラファイト板である請求項１０に記載の冷却装置。
【請求項１２】
前記平面型ヒートパイプが、前記熱伝導板より重力方向上側に設けられている請求項１０または１１に記載の冷却装置。
【請求項１３】
前記平面型ヒートパイプが、熱伝導性接着剤によって前記冷却部材と接合されている請求項１乃至１２のいずれか１項に記載の冷却装置。
【請求項１４】
前記平面型ヒートパイプの主表面が、重力方向に対して０°以上４５°以下の角度に配置されるように設置される請求項１乃至１３のいずれか１項に記載の冷却装置。
【請求項１５】
請求項１乃至１４のいずれか１項に記載の冷却装置に発熱体を熱的に接続して、冷却部材に冷却機構を熱的に接続して、該発熱体を冷却する冷却システム。
【発明の詳細な説明】
【技術分野】
【０００１】
本発明は、狭小空間に設置でき、また、優れた放熱性能を発揮できる冷却装置に関するものである。
【背景技術】
【０００２】
電気・電子機器に搭載されている半導体素子等の電子部品やバッテリーは、高機能化に伴う高密度搭載等により、発熱量が増大し、近年、その冷却がより重要となっている。電子部品やバッテリーの冷却方法として、平面型ヒートパイプを備えた冷却装置が使用されることがある。また、電子部品やバッテリー等が収容されるハウジングには、近年、さらなる小型化と軽量化が要求されており、狭小空間に冷却装置を搭載することが必要となる場合がある。
【０００３】
また、電気自動車等に搭載されるバッテリーには、バッテリーの安定的動作のために温度管理システムが利用されている。また、バッテリーの出力増大に伴う発熱量の増大に対応し、バッテリーの出力向上や寿命改善のために、近年、温度管理システムにおいて、均熱性能と冷却性能のさらなる向上が要求されている。また、冷却装置の均熱性能と冷却性能を向上させるために、平面型ヒートパイプに加えて、熱伝導性に優れたグラファイトシートも併用されることがある。
【０００４】
平面型ヒートパイプとグラファイトシートを併用したバッテリーシステムとして、燃料電池と、燃料電池を覆う断熱体と、断熱体の外表面を覆う伝熱体とを含み、該伝熱体として平面型ヒートパイプとグラファイトシートを併用することが提案されている（特許文献１）。
【０００５】
しかし、特許文献１のバッテリーシステムでは、バッテリーの５面が断熱体と伝熱体とで覆われるので、バッテリーシステムの厚さを低減することができず、狭小空間に設置することができない。また、特許文献１では、バッテリーと熱的に接続されていない平面型ヒートパイプ及びグラファイトシートの縁部が放熱部として機能する。従って、特許文献１では、平面型ヒートパイプの熱輸送特性、ひいては、放熱特性に改善の余地があった。
【先行技術文献】
【特許文献】
【０００６】
【特許文献１】特開２００６−２０２６１１号公報
【発明の概要】
【発明が解決しようとする課題】
【０００７】
上記事情に鑑み、本発明は、狭小空間に設置することができ、また、優れた放熱性能を発揮できる冷却装置を提供することを目的とする。
【課題を解決するための手段】
【０００８】
本発明の態様は、作動部と非作動部を有する平面型ヒートパイプと、該平面型ヒートパイプと熱的に接続された冷却部材と、該平面型ヒートパイプと該冷却部材との熱的接続部に設けられたグラファイトシートと、を備えた冷却装置である。
【０００９】
平面型ヒートパイプの作動部とは、平面型ヒートパイプの平面視（平面型ヒートパイプの主表面に対し鉛直方向から視認した状態）において、相変化することで熱輸送機能を発揮する作動流体が封入されている空洞部に対応する部位を意味し、平面型ヒートパイプの非作動部とは、平面型ヒートパイプの平面視において、前記作動部以外の部位を意味する。
【００１０】
本発明の態様は、前記冷却部材が、前記作動部に熱的に接続されている冷却装置である。
【００１１】
本発明の態様は、前記冷却部材が、前記非作動部に熱的に接続されている冷却装置である。
【００１２】
本発明の態様は、前記冷却部材が、アルミニウム製である冷却装置である。
【００１３】
本発明の態様は、前記平面型ヒートパイプの作動部の幅に対する、該平面型ヒートパイプの作動部の幅方向に対して平行方向における該平面型ヒートパイプの作動部上の前記グラファイトシートの寸法割合が、０．２０以上１．０以下である冷却装置である。上記態様では、平面型ヒートパイプの両主表面のうち、少なくともいずれか一方の主表面において、上記寸法割合を満たしている。
【００１４】
本発明の態様は、前記グラファイトシートが、前記平面型ヒートパイプの作動部の縁部から、該平面型ヒートパイプの中心部方向へ２０ｍｍ以上延出している冷却装置である。
【００１５】
本発明の態様は、前記グラファイトシートが、前記平面型ヒートパイプの両主表面のうち、少なくとも一方の主表面全体に設けられている冷却装置である。
【００１６】
本発明の態様は、前記グラファイトシートが、前記平面型ヒートパイプの両主表面全体に設けられている冷却装置である。
【００１７】
本発明の態様は、前記平面型ヒートパイプと前記冷却部材と前記グラファイトシートとの厚さの合計が、０．６０ｍｍ以下である冷却装置である。
【００１８】
本発明の態様は、前記平面型ヒートパイプから外側方向へ延在している、前記平面型ヒートパイプと熱的に接続された熱伝導板をさらに備えた冷却装置である。
【００１９】
本発明の態様は、前記熱伝導板が、グラファイト板である冷却装置である。
【００２０】
本発明の態様は、前記平面型ヒートパイプが、前記熱伝導板より重力方向上側に設けられている冷却装置である。
【００２１】
本発明の態様は、前記平面型ヒートパイプが、熱伝導性接着剤によって前記冷却部材と接合されている冷却装置である。
【００２２】
本発明の態様は、前記平面型ヒートパイプの主表面が、重力方向に対して０°以上４５°以下の角度に配置されるように設置される冷却装置である。
【００２３】
本発明の態様は、上記冷却装置に発熱体を熱的に接続して、冷却部材に冷却機構を熱的に接続して、該発熱体を冷却する冷却システムである。
【発明の効果】
【００２４】
本発明の冷却装置の態様によれば、平面型ヒートパイプが冷却部材と熱的に接続されることにより、平面型ヒートパイプと冷却部材の熱的接続部における厚さの増大及び冷却装置全体の厚さの増大を防止できるので、狭小空間に設置することができる。一方で、平面型ヒートパイプが冷却部材と熱的に接続されると、平面型ヒートパイプの受熱部と放熱部との間で大きな温度差が生じる。平面型ヒートパイプの受熱部と放熱部との間で大きな温度差が生じると、放熱部で液相の作動流体が貯留しやすくなることで平面型ヒートパイプの熱輸送特性が低減されてしまう可能性がある。しかし、平面型ヒートパイプと冷却部材との熱的接続部にグラファイトシートが設けられることにより、前記熱的接続部における厚さの増大を防止しつつ、グラファイトシートの熱伝導特性と熱拡散特性によって平面型ヒートパイプの受熱部と放熱部との間に生じる温度差を低減できる。従って、本発明の冷却装置の態様によれば、狭小空間への設置を可能としつつ、優れた放熱性能を発揮することができる。
【００２５】
本発明の態様によれば、冷却部材が、アルミニウム製であることにより、冷却装置を軽量化しつつ、熱伝導性と剛性を付与することができる。
【００２６】
本発明の冷却装置の態様によれば、平面型ヒートパイプの作動部の幅に対する、該作動部の幅方向に対して平行方向における該作動部上のグラファイトシートの寸法の割合が、０．２０以上１．０以下であることにより、平面型ヒートパイプの受熱部と放熱部との間に生じる温度差をさらに確実に低減できる。従って、本発明の冷却装置は、さらに優れた放熱性能を発揮することができる。
【００２７】
本発明の冷却装置の態様によれば、グラファイトシートが、平面型ヒートパイプの作動部の縁部から、平面型ヒートパイプの中心部方向へ２０ｍｍ以上延出していることにより、平面型ヒートパイプの受熱部と放熱部との間に生じる温度差をさらに確実に低減できる。従って、本発明の冷却装置は、さらに優れた放熱性能を発揮することができる。
【００２８】
本発明の冷却装置の態様によれば、グラファイトシートが、平面型ヒートパイプの両主表面全体に設けられていることにより、冷却対象の発熱量が増大しても平面型ヒートパイプの受熱部と放熱部との間に生じる温度差をさらに確実に低減できる。従って、本発明の冷却装置は、高発熱量の冷却対象に対しても、さらに優れた放熱性能を発揮することができる。
【００２９】
本発明の冷却装置の態様によれば、平面型ヒートパイプから外側方向へ前記平面型ヒートパイプと熱的に接続された熱伝導板が延在していることにより、平面型ヒートパイプの主表面が立設された状態で冷却装置が設置されても、熱伝導板が延在している分、平面型ヒートパイプの高さ方向の寸法を低減できる。従って、平面型ヒートパイプがトップヒートの状態で使用されても、平面型ヒートパイプのドライアウトを防止できる。また、熱伝導板としてグラファイト板が延在していることにより、熱伝導性を有しつつ、グラファイト板の部分も平面型ヒートパイプである場合と比較して、冷却装置を軽量化できる。
【図面の簡単な説明】
【００３０】
【図１】本発明の第１実施形態例に係る冷却装置の平面図である。
【図２】本発明の第１実施形態例に係る冷却装置を分解した説明図である。
【図３】本発明の第１実施形態例に係る冷却装置の側面断面図である。
【図４】本発明の第２実施形態例に係る冷却装置の側面断面図である。
【図５】本発明の第３実施形態例に係る冷却装置の側面断面図である。
【図６】（ａ）図は、本発明の第４実施形態例に係る冷却装置の平面図、（ｂ）図は、（ａ）図のＡ−Ａ断面図である。
【図７】本発明の実施形態例に係る冷却装置で使用される平面型ヒートパイプの封止前の分解斜視図である。
【図８】本発明の第１実施形態例に係る冷却装置の使用方法例である。
【発明を実施するための形態】
【００３１】
以下に、本発明の第１実施形態例に係る冷却装置について、図面を用いながら説明する。図１、２、３に示すように、本発明の第１実施形態例に係る冷却装置１は、作動部１１と非作動部１２を有する平面型ヒートパイプ１０と、平面型ヒートパイプ１０の作動部１１及び非作動部１２と熱的に接続された冷却部材３０と、平面型ヒートパイプ１０の作動部１１及び非作動部１２と冷却部材３０との熱的接続部４０に設けられたグラファイトシート５０と、を備えている。
【００３２】
平面型ヒートパイプ１０は、平面視において、平板状であり、平面型ヒートパイプ１０の熱輸送方向に主表面１３が延在している。平面型ヒートパイプ１０の両主表面１３を結ぶ面が、平面型ヒートパイプ１０の側面１４である。図１、３に示すように、平面型ヒートパイプ１０は、中空の空洞部２３を有する平面型のコンテナ２０と、空洞部２３内に封入された作動流体（図示せず）とを有している。また、空洞部２３内には、毛細管力を有するウィック構造体２５が収容されている。ウィック構造体２５は、空洞部２３に沿って延在している。作動流体とウィック構造体２５が収容された空洞部２３が、平面型ヒートパイプ１０の作動部１１となっている。コンテナ２０の外面に、冷却対象である発熱体が熱的に接続される。
【００３３】
空洞部２３を有するコンテナ２０は、対向する２枚の板状部材、すなわち、一方の板状部材２１と一方の板状部材２１と対向する他方の板状部材２２が積層されて形成されている。従って、コンテナ２０は２層構造となっている。一方の板状部材２１と他方の板状部材２２は、相互に、平面視において、重なり合う位置にて積層されている。一方の板状部材２１には、他方の板状部材２２から視て凹部であって、側面視では凸部である塑性変形部が設けられている。一方の板状部材２１と他方の板状部材２２が積層されることで、上記塑性変形部が空洞部２３を形成する。空洞部２３は、平面型ヒートパイプ１０の主表面１３に沿って延在している。
【００３４】
空洞部２３の周囲は、一方の板状部材２１の周縁部と他方の板状部材２２の周縁部が接することで閉塞部３２が形成されている。閉塞部３２が、平面型ヒートパイプ１０の非作動部１２となっている。
【００３５】
図１、２に示すように、非作動部１２は、平面型ヒートパイプ１０の周縁部であって、作動部１１の外周に形成されている。従って、図３に示すように、非作動部１２と作動部１１との境界には、一方の板状部材２１に塑性変形部の変形量に応じた段差部３３が形成されている。非作動部１２の厚さは、段差部３３の段差分、作動部１１の厚さよりも薄い態様となっている。
【００３６】
平面型ヒートパイプ１０は、空洞部２３の外周部、すなわち、一方の板状部材２１の周縁部と他方の板状部材２２の周縁部とが、例えば、レーザー溶接やシーム溶接等の熱溶着手段、超音波溶接、ロウ溶接等を用いて接合されて閉塞部３２が形成される。閉塞部３２が形成されることで空洞部２３が封止され、減圧処理されている空洞部１３に気密性が付与される。空洞部１３の平面視における形状は、特に限定されず、平面型ヒートパイプ１０では略長方形状となっている。
【００３７】
コンテナ２０の材質としては、特に限定されず、例えば、銅、銅合金、アルミニウム、アルミニウム合金、ステンレス鋼等を挙げることができる。空洞部２３に封入する作動流体としては、コンテナ２０の材料との適合性に応じて、適宜選択可能であり、例えば、水、フルオロカーボン類、シクロペンタン、エチレングリコール、これらの混合物等を挙げることができる。
【００３８】
図１、２、３に示すように、平面型ヒートパイプ１０の非作動部１２と作動部１１の縁部１５に冷却部材３０が熱的に接続されている。冷却装置１では、平面視において、冷却部材３０が平面型ヒートパイプ１０の非作動部１２と作動部１１の縁部１５に重なり合う位置に設けられていることで、平面型ヒートパイプ１０の非作動部１２及び作動部１１の縁部１５と冷却部材３０が熱的に接続されている。冷却装置１では、非作動部１２上と作動部１１の縁部１５上に冷却部材３０が着設されている。平面型ヒートパイプ１０の非作動部１２及び作動部１１の縁部１５と冷却部材３０が平面視において重なり合う部位が、冷却装置１の熱的接続部４０となっている。
【００３９】
冷却装置１では、平面視において、平面型ヒートパイプ１０の作動部１１のうち縁部１５以外の部位（すなわち、作動部１１の中央部）と重なり合う位置に、冷却部材３０は設けられていない。また、冷却装置１では、非作動部１２における冷却部材３０の厚さは、段差部３３の段差分から若干厚い程度に抑えられている。平面型ヒートパイプ１０の作動部１１における主表面１３と冷却部材３０表面は、略平面状に位置している。上記から、冷却装置１では、平面型ヒートパイプ１０と冷却部材３０の熱的接続部４０における厚さの増大、ひいては、冷却装置１全体の厚さの増大を防止できるので、冷却装置１は、狭小空間に設置されることができる。
【００４０】
図１、２に示すように、冷却装置１では、平面型ヒートパイプ１０の４辺のうちの２辺に、それぞれ冷却部材３０が設けられている。また、冷却部材３０は、相互に対向するように配置されている。冷却部材３０の形状は、特に限定されないが、冷却装置１では、長尺の平板材であり、非作動部１２と作動部１１の縁部１５の平面視の形状に対応して、平面視略長方形となっている。冷却部材３０の材質は、熱伝導性を有する材料であれば、特に限定されず、例えば、アルミニウム、アルミニウム合金、銅、銅合金、ステンレス鋼等の金属を挙げることができ、このうち、冷却装置１を軽量化しつつ、熱伝導性と剛性を付与する点から、アルミニウムが好ましい。
【００４１】
平面型ヒートパイプ１０と冷却部材３０との熱的接続手段としては、例えば、熱伝導性接着剤を用いて、非作動部１２と作動部１１の縁部１５に冷却部材３０を接着する手段が挙げられる。熱伝導性接着剤を用いて、平面型ヒートパイプ１０と冷却部材３０とを接合することにより、平面型ヒートパイプ１０と冷却部材３０間の熱伝達性が向上する。また、熱伝導性接着剤を用いて、平面型ヒートパイプ１０と冷却部材３０とを接合することにより、平面型ヒートパイプ１０と冷却部材３０との間に生じた隙間を熱伝導性接着剤によって埋めることができる。よって、平面型ヒートパイプ１０と冷却部材３０間の熱伝達性も向上する。熱伝導性接着剤としては、例えば、エポキシ系、アクリル系等を挙げることができる。
【００４２】
また、冷却装置１では、冷却部材３０に、フィン部３１が設けられている。フィン部３１は、冷却部材３０と一体となっている。フィン部３１は、冷却部材３０から、平面型ヒートパイプ１０の主表面１３に対して鉛直方向に伸延している。平面型ヒートパイプ１０から冷却部材３０へ伝達された熱は、冷却部材３０からフィン部３１へ伝達されて、フィン部３１から外部へ放出される。
【００４３】
また、図１、２、３に示すように、平面型ヒートパイプ１０の非作動部１２及び作動部１１の縁部１５と冷却部材３０との熱的接続部４０には、グラファイトシート５０が設けられている。このグラファイトシート５０は、一方の板状部材２１上に設けられている。すなわち、熱的接続部４０では、平面型ヒートパイプ１０の非作動部１２及び作動部１１、冷却部材３０、グラファイトシート５０の順で、平面型ヒートパイプ１０の非作動部１２及び作動部１１と冷却部材３０とグラファイトシート５０とが積層されている。従って、熱的接続部４０では、グラファイトシート５０が最外層を形成している。
【００４４】
平面型ヒートパイプ１０が冷却部材３０と熱的に接続されると、平面型ヒートパイプ１０の受熱部（冷却対象である発熱体と熱的に接続された領域）と放熱部（平面型ヒートパイプ１０のうち、冷却部材３０と熱的に接続された領域）との間で大きな温度差が生じる。平面型ヒートパイプ１０の受熱部と放熱部との間で大きな温度差が生じると、放熱部で液相の作動流体が貯留しやすくなって、平面型ヒートパイプ１０の熱輸送特性及び均熱特性が低減されてしまう場合がある。しかし、平面型ヒートパイプ１０と冷却部材３０との熱的接続部４０にグラファイトシート５０が設けられることにより、熱的接続部４０における厚さの増大を防止しつつ、グラファイトシート５０の熱伝導特性と熱拡散特性によって平面型ヒートパイプ１０の受熱部と放熱部との間に生じる温度差を低減できる。従って、冷却装置１は、狭小空間への設置を可能としつつ、優れた放熱性能を発揮することができる。
【００４５】
グラファイトシート５０は、平面型ヒートパイプ１０と冷却部材３０との熱的接続部４０上に設けられていればよいが、熱的接続部４０からさらに平面型ヒートパイプ１０の作動部１１方向へ伸延していることが好ましい。作動部１１の幅に対する、作動部１１の幅方向に対して平行方向における作動部１１上のグラファイトシート５０の寸法の割合は、平面型ヒートパイプ１０の受熱部と放熱部との間に生じる温度差をさらに確実に低減して、優れた放熱性能を発揮できる点から、０．２０以上１．０以下が好ましく、０．４０以上１．０以下がより好まく、０．６０以上１．０以下が特に好ましい。冷却装置１では、グラファイトシート５０は、一方の板状部材２１側において、熱的接続部４０から平面型ヒートパイプ１０の主表面１３の作動部１１全体にまで設けられている。すなわち、一方の板状部材２１側の主表面１３全体が、グラファイトシート５０で覆われている。従って、冷却装置１では、グラファイトシート５０の上記寸法の割合は１．０となっている。なお、グラファイトシート５０の上記寸法の割合は、作動部１１上の異なる位置に、グラファイトシート５０が分割して設けられている場合には、分割されているグラファイトシート５０の上記寸法を合算して算出される値である。
【００４６】
上記から、冷却装置１では、一方の板状部材２１側において、熱的接合部４０だけではなく作動部１１の中央部でも、グラファイトシート５０が最外層を形成している。また、熱的接合部４０及び作動部１１の中央部では、グラファイトシート５０が略平面状に沿って延在している。従って、冷却装置１では、熱的接合部４０と作動部１１の中央部に対応する部分の厚さは均一化されている。なお、冷却装置１では、グラファイトシート５０は、平面型ヒートパイプ１０の作動部１１から、さらにフィン部３１まで伸延している。
【００４７】
また、グラファイトシート５０が、熱的接続部４０からさらに平面型ヒートパイプ１０の作動部１１方向へ伸延している場合には、平面型ヒートパイプ１０の受熱部と放熱部との間に生じる温度差をさらに確実に低減する点から、平面型ヒートパイプ１０の作動部１１の縁部１５から、作動部１１の中心部方向へ２０ｍｍ以上延出していることが好ましく、３０ｍｍ以上延出していることがより好ましく、冷却装置１のように、平面型ヒートパイプ１０の主表面１３全体に延出していることが特に好ましい。
【００４８】
グラファイトシート５０は、平面型ヒートパイプ１０の両主表面１３、すなわち、一方の板状部材２１側の主表面１３と他方の板状部材２２側の主表面１３のうち、いずれか一方の主表面１３にのみ設けられていてもよく、両方の主表面１３に設けられていてもよい。図３に示すように、冷却装置１では、グラファイトシート５０は、一方の板状部材２１外面に設けられているだけでなく、他方の板状部材２２外面にも設けられている。上記から、グラファイトシート５０は、両方の主表面１３全体に延在している。両方の主表面１３の作動部１１全体にグラファイトシート５０が設けられていることにより、冷却対象の発熱量が増大しても平面型ヒートパイプ１０の受熱部と放熱部との間に生じる温度差をさらに確実に低減できる。従って、冷却装置１では、高発熱量の冷却対象に対しても、さらに優れた放熱性能を発揮することができる。
【００４９】
平面型ヒートパイプ１０と冷却部材３０とグラファイトシート５０との厚さの合計は、特に限定されないが、厚さを制限して狭小空間へ冷却装置１を確実に設置する点から、０．６０ｍｍ以下が好ましく、０．５０ｍｍ以下が特に好ましい。なお、平面型ヒートパイプ１０と冷却部材３０とグラファイトシート５０との厚さの合計の下限値は、機械的強度の点から０．２０ｍｍが好ましい。
【００５０】
グラファイトシート５０を平面型ヒートパイプ１０の主表面１３及び冷却部材３０に取り付ける手段は、特に限定されず、例えば、アクリル系接着剤等、公知の接着剤を用いて、グラファイトシート５０を平面型ヒートパイプ１０の主表面１３及び冷却部材３０に接着する方法が挙げられる。
【００５１】
次に、本発明の第２実施形態例に係る冷却装置ついて、図面を用いながら説明する。なお、第１実施形態例に係る冷却装置と同じ構成要素については、同じ符号を用いて説明する。
【００５２】
第１実施形態例に係る冷却装置では、グラファイトシートは、一方の板状部材外面に設けられているだけでなく、他方の板状部材外面にも設けられていたが、これに代えて、図４に示すように、第２実施形態例に係る冷却装置２では、グラファイトシート５０は、一方の板状部材２１外面に設けられているが、他方の板状部材２２外面には設けられていない。上記から、グラファイトシート５０は、一方の板状部材２１の主表面１３全体に延在しているが、他方の板状部材２２の主表面１３には設けられていない。
【００５３】
グラファイトシート５０が、いずれか一方の主表面１３にのみ設けられていても、冷却対象の発熱量が増大しても平面型ヒートパイプ１０の受熱部と放熱部との間に生じる温度差を確実に低減できる。従って、冷却装置１では、高発熱量の冷却対象に対しても、優れた放熱性能を発揮することができる。
【００５４】
次に、本発明の第３実施形態例に係る冷却装置ついて、図面を用いながら説明する。なお、第１、第２実施形態例に係る冷却装置と同じ構成要素については、同じ符号を用いて説明する。  
【００５５】
第１、第２実施形態例に係る冷却装置では、グラファイトシートは、少なくとも一方の主表面１３全体が、グラファイトシート５０で覆われており、従って、作動部の幅に対する、作動部の幅方向に対して平行方向における作動部上のグラファイトシートの寸法の割合は１．０となっていた。これに代えて、図５に示すように、第３実施形態例に係る冷却装置３では、一方の板状部材２１の主表面１３全体ではなく一部が、グラファイトシート５０で覆われている。冷却装置３では、作動部１１の幅方向に対して平行方向の主表面１３中央には、グラファイトシート５０が設けられていない。なお、冷却装置３では、グラファイトシート５０は、一方の板状部材２１外面にのみ設けられており、他方の板状部材２２外面には設けられていない。
【００５６】
従って、冷却装置３では、上記寸法の割合は１．０未満となっている。具体的には、冷却装置３では、上記寸法の割合は、約０．６０となっている。グラファイトシート５０が主表面１３全体に設けられていなくても、グラファイトシート５０の熱伝導特性と熱拡散特性によって平面型ヒートパイプ１０の受熱部と放熱部との間に生じる温度差を低減できる。従って、冷却装置３でも、優れた放熱性能を発揮することができる。
【００５７】
次に、本発明の第４実施形態例に係る冷却装置について、図面を用いながら説明する。なお、第１〜第３実施形態例に係る冷却装置と同じ構成要素については、同じ符号を用いて説明する。
【００５８】
図６（ａ）、（ｂ）に示すように、第４実施形態例に係る冷却装置４では、平面型ヒートパイプ６０の主表面６３と略同一平面上に、平面型ヒートパイプ６０の縁部６４から、さらに、グラファイト板６５が延在している。冷却装置４では、冷却装置１における平面型ヒートパイプ１０の作動部１１について、その一部領域をグラファイト板６５で代替した態様となっている。従って、冷却装置４では、平面型ヒートパイプ６０とグラファイト板６５にて、上記した冷却装置１における平面型ヒートパイプ１０の機能を有している。
【００５９】
冷却装置４では、冷却部材３０は、平面型ヒートパイプ６０からグラファイト板６５まで延在している。また、グラファイトシート５０は、平面型ヒートパイプ６０の両主表面６３全体とグラファイト板６５表面全体に設けられている。
【００６０】
グラファイト板６５と平面型ヒートパイプ６０の熱的接続方法は、特に限定されず、例えば、平面型ヒートパイプ６０の非作動部６２とグラファイト板６５の縁部６６を連接し、この連接部に上記熱伝導性接着剤を施与することで、グラファイト板６５と平面型ヒートパイプ６０を接合する方法が挙げられる。
【００６１】
グラファイトは高い熱伝導率を有する素材なので、冷却装置１における平面型ヒートパイプ１０の作動部１１について、その一部領域をグラファイト板６５で代替しても、平面型ヒートパイプ６０とグラファイト板６５にて優れた均熱性能と冷却性能を発揮することができる。
【００６２】
また、冷却装置４では、平面型ヒートパイプ６０の主表面６３が立設された状態で設置されても、平面型ヒートパイプ６０の縁部６４からグラファイト板６５が延在している分、平面型ヒートパイプ６０自体の高さ方向の寸法を低減できる。従って、平面型ヒートパイプ６０がトップヒートの状態で使用されても、平面型ヒートパイプ６０に封入された液相の作動流体（図示せず）は、放熱部から受熱部へ還流しやすくなる。結果、平面型ヒートパイプ６０が立設されて設置されても、平面型ヒートパイプ６０のドライアウトを防止できる。また、グラファイト板６５が延在していることにより、グラファイト板６５の部分が平面型ヒートパイプである場合と比較して、冷却装置２を軽量化できる。
【００６３】
冷却装置４では、冷却装置４の冷却対象である発熱体は、平面型ヒートパイプ６０の部分に接続されることが好ましい。また、冷却装置４では、平面型ヒートパイプ６０が主表面６３を重力方向に対し略平行に設置する場合には、平面型ヒートパイプ６０がグラファイト板６５よりも重力方向上側に配置されることが好ましい。
【００６４】
次に、本発明の実施形態例に係る冷却装置を用いた冷却システムについて、図面を用いながら説明する。ここでは、第１実施形態例に係る冷却装置１を用いて、平面型ヒートパイプ１０の主表面１３が重力方向に対し略平行（すなわち、重力方向に対し略０°の角度）となるように冷却装置１が設置される場合について、その冷却システムを説明する。
【００６５】
まず、平面型ヒートパイプ１０の空洞部２３に収容されているウィック構造体２５の詳細について、図７を用いながら説明する。ウィック構造体２５は、コンテナ２０及び空洞部２３の平面視における形状が略矩形状であることに対応して、略矩形のシート状となっている。コンテナ２０及び空洞部２３の長手方向Ｘにウィック構造体２５の長手方向Ｘが対応し、コンテナ２０及び空洞部２３の短手方向Ｙにウィック構造体２５の短手方向Ｙが対応している。
【００６６】
ウィック構造体２５には、複数の蒸気流路２６が形成されている。また、ウィック構造体２５の蒸気流路２６以外の部位が、毛細管力を有するウィック部２７となっている。蒸気流路２６は、ウィック構造体２５の厚さ方向に貫通した孔部である。貫通孔である蒸気流路２６は、ウィック構造体２５の長手方向Ｘにおける平面視中央部から平面視縁部の方向へ伸延している。従って、蒸気流路２６の長手方向は、ウィック構造体２５の長手方向Ｘに対応している。
【００６７】
蒸気流路２６は、ウィック構造体２５の長手方向Ｘにおける平面視中央部にてウィック構造体２５を横断する直線状の仮想線Ｌを介して、対向して配置されている。ウィック構造体２５は、仮想線Ｌによって、第１の領域Ｒ１と、第１の領域Ｒ１と略同じ形状と面積を有する第２の領域Ｒ２とに区分されている。図７に示すように、第１の領域Ｒ１では、複数の蒸気流路２６が、仮想線Ｌに沿って並列配置され、第２の領域Ｒ２では、他の複数の蒸気流路２６が、同じく、仮想線Ｌに沿って並列配置されている。また、第１の領域Ｒ１及び第２の領域Ｒ２では、それぞれの蒸気流路２６は、仮想線Ｌに対して直交方向に伸延している。
【００６８】
第１の領域Ｒ１の蒸気流路１６と第２の領域Ｒ２の蒸気流路１６は、仮想線Ｌを介して対向配置され、これに対応して、ウィック部２７は、仮想線Ｌに沿って延在した第１ウィック２８を、一つ有している。第１ウィック２８は、ウィック構造体２５の長手方向Ｘにおける平面視中央部にて、ウィック構造体２５の長手方向Ｘを形成する一方の縁部から該一方の縁部と対向する他方の縁部まで延在している。また、複数の蒸気流路２６が仮想線Ｌに沿って並列配置されていることに対応して、ウィック部２７は、蒸気流路２６間を蒸気流路２６の長手方向に沿って延在した第２ウィック２９を有している。
【００６９】
平面型ヒートパイプ１０の主表面１３が重力方向に対し略平行となるように冷却装置１が設置される場合、第１ウィック２８が重力方向に対して略平行となるように設置されると、液相の作動流体が第１ウィック２８（すなわち、ウィック構造体２５の長手方向Ｘにおける平面視中央部）を第１ウィック２８の伸延方向に沿って、重力方向下方から上方へ還流できる。また、蒸気流路２６はウィック構造体２５の長手方向Ｘにおける平面視中央部から縁部の方向へ伸延している。よって、気相の作動流体はウィック構造体２５の長手方向Ｘにおける平面視中央部から縁部の方向へ流通できる。
【００７０】
上記から、平面型ヒートパイプ１０の主表面１３が鉛直方向に設置された状態で、平面型ヒートパイプ１０の中心を受熱部、縁部（図７では、短手方向Ｙを形成する縁部）を放熱部としても、受熱部にて液相から気相へ相変化した作動流体は、蒸気流路２６内を、ウィック構造体２５の長手方向Ｘにおける平面視中央部から縁部の方向へ流通できる。また、平面型ヒートパイプ１０の縁部で気相から液相へ相変化した作動流体が、重力の作用により重力方向下方へ流動しても、重力方向下方へ流動した液相の作動流体は、第１ウィック２８によって重力方向下方から上方へ還流される。また、重力方向下方へ流動しなかった液相の作動流体または重力方向下方へ流動しきれなかった液相の作動流体は、第２ウィック２９によって、蒸気流路２６の長手方向に沿って、ウィック構造体２５の平面部の縁部から中心方向へ還流される。結果、液相の作動流体は、ウィック構造体２５の縁部から中心方向へ還流できる。
【００７１】
図８に示すように、平面型ヒートパイプ１０のいずれか一方の主表面１３に冷却対象である発熱体１００を熱的に接続することで、冷却装置１に発熱体１００を熱的に接続する。発熱体１００は、主表面１３に設けられたグラファイトシート５０上に取り付けられる。発熱体１００は、鉛直方向に立設されている状態で設置されている。これに対応して、平面型ヒートパイプ１０の主表面１３を重力方向に対し略平行（すなわち、重力方向に対し略０°の角度）に設置し、主表面１３の中心とその近傍に対応する部分に発熱体１００を熱的に接続して、平面型ヒートパイプ１０の受熱部とする。冷却装置１では、作動部１１の両縁部と作動部１１の両縁部（図８では、平面型ヒートパイプ１０の短手方向Ｙかつウィック構造体の短手方向Ｙを形成する両縁部）から延出した非作動部１２に、冷却部材３０が取り付けられている。また、必要に応じて、冷却部材３０に、水冷ジャケット等の冷却機構（図示せず）を熱的に接続して、発熱体１００に対する冷却効果をさらに向上させてもよい。
【００７２】
このように、平面型ヒートパイプ１０を立てるような状態で冷却装置１を設置しても、上記ウィック構造体２５の作用により、気相の作動流体は、円滑に、平面型ヒートパイプ１０の中心から作動部の両縁部方向へ流通でき、液相の作動流体は、円滑に、平面型ヒートパイプ１０の作動部の両縁部から中心方向へ還流できる。よって、冷却装置１は、発熱体１００に対して優れた均熱、冷却性能を発揮できる。
【００７３】
次に、本発明の冷却装置の他の実施形態例について説明する。上記各実施形態例に係る冷却装置では、平面型ヒートパイプの４辺のうちの２辺に、長尺の平板材である冷却部材が設けられていたが、これに代えて、冷却部材を枠体とし、平面型ヒートパイプの非作動部に枠体の冷却部材を取り付けてもよい。この場合、平面型ヒートパイプの４辺に冷却部材が設けられる態様となる。上記各実施形態例に係る冷却装置では、長尺の平板材である冷却部材が、非作動部上に着設されていたが、これに代えて、ブロック状の冷却部材が、非作動部上に着設されてもよい。また、ブロック状の冷却部材に溝部を設け、該溝部に非作動部を挿入し、冷却部材をカシメ処理することで、非作動部にブロック状の冷却部材を接合してもよい。
【００７４】
また、上記各実施形態例では、平面型ヒートパイプの非作動部から作動部の縁部にかけて冷却部材が熱的に接続されて熱的接続部が形成されていた。すなわち、平面型ヒートパイプの非作動部及び作動部の縁部と冷却部材が平面視において重なり合うことで、熱的接続部が形成されていた。これに代えて、平面型ヒートパイプの非作動部のみが冷却部材と熱的に接続されてもよく、平面型ヒートパイプの作動部のみが冷却部材と熱的に接続されてもよい。すなわち、平面型ヒートパイプの非作動部のみと冷却部材が平面視において重なり合うことで熱的接続部が形成されていてもよく、平面型ヒートパイプの作動部のみと冷却部材が平面視において重なり合うことで熱的接続部が形成されていてもよい。
【００７５】
また、上記各実施形態例では、長尺の平板材である冷却部材にフィン部が設けられていたが、これに代えて、非作動部を外側へさらに伸延させて冷却部材としてもよい。さらに、非作動部を外側へさらに伸延させた部位を鉛直方向に折り曲げて、冷却部材にフィン部が設けられている態様としてもよい。
【００７６】
上記使用方法例では、平面型ヒートパイプの主表面は、重力方向に対し略０°の角度に設置されたが、これに代えて、重力方向に対し０°超４５°以下の角度に設置されてもよく、また、重力方向に対し４５°超９０°未満に設置されてもよく、重力方向に対し９０°（すなわち、平面型ヒートパイプの主表面が水平方向）に設置されてもよい。
【００７７】
また、第４実施形態例に係る冷却装置では、平面型ヒートパイプの縁部から、さらに、グラファイト板が延在していたが、熱伝導性を有する板材であれば、グラファイト板に限定されず、例えば、銅、アルミニウム等の金属板等でもよい。
【産業上の利用可能性】
【００７８】
本発明の冷却装置は、狭小空間でも設置でき、また、優れた冷却性能を発揮できるので、例えば、バッテリーセルの冷却分野で利用することができる。
【符号の説明】
【００７９】
１０、６０                    平面型ヒートパイプ
１１、６１                    作動部
１２、６２                    非作動部
１３                          主表面
３０                          冷却部材
４０                          熱的接続部
５０                          グラファイトシート
６５                          グラファイト板
【図１】
2019148373.tif 000003
【図２】
2019148373.tif 000004
【図３】
2019148373.tif 000005
【図４】
2019148373.tif 000006
【図５】
2019148373.tif 000007
【図６】
2019148373.tif 000008
【図７】
2019148373.tif 000009
【図８】
2019148373.tif 000010